(57)【特許請求の範囲】
【請求項１】
前面パネルの吸込口を開閉する開閉パネルを備え、同開閉パネルの開閉機構を備えた空気調和機であって、
前記開閉パネルの開閉機構は、一端に備えた駆動軸が前記前面パネルの上位部に枢支され、他端が前記開閉パネルを枢支して両端間に下部ばね掛けを備えた断面コ字状の開閉アームと、
前記駆動軸を駆動する駆動装置と、
前記開閉アームの両端を結ぶ仮想線延長上の一端上方に枢支された基端部と、同基端部から前記駆動軸の下方に上部ばね掛けを延出した先端部とからなるばね掛け具と、
前記下部ばね掛けと前記上部ばね掛けとの間に掛け渡され、前記開閉アーム内に収納される付勢ばねとを備えてなることを特徴とする空気調和機。
【請求項２】
前記開閉パネルの開閉機構は、一端が前記前面パネルの下位部に枢支され、他端が前記開閉パネルを枢支した補助アームを備えたことを特徴とする請求項１に記載の空気調和機。
【請求項３】
前記ばね掛け具が、前記基端部と前記駆動軸を迂回するように形成された先端部とからなり、前記上部ばね掛けが、前記開閉アーム内に収納されてなることを特徴とする請求項１に記載の空気調和機。
【請求項４】
前記開閉アームおよび前記補助アームは、前記開閉パネルが前記吸込口を閉じた際、同開閉パネルに対し平行に近接または当接するように枢支されてなることを特徴とする請求項１乃至請求項３の何れかに記載の空気調和機。
【発明の詳細な説明】
【技術分野】
【０００１】
本発明は、空気調和機に関わり、より詳細には、前面パネルに備えた吸込口を開閉する開閉パネルの開閉機構に関する。
【背景技術】
【０００２】
従来の開閉パネルの開閉機構として、図５に示すように、開閉パネル１０２が前面パネル１００に備えた吸込口１０１を閉じた状態において、開閉アーム１０４および補助アーム１０５と、付勢ばね１０６とが互いに平行に設けられた構成であって、これら開閉アーム１０４および補助アーム１０５と、付勢ばね１０６とが開閉パネル１０２に対し平行状態に近接または当接することなく傾斜した構成になっていた。
【０００３】
また、開閉アーム１０４には連結アーム１０７が連結された構成になっているため、開閉パネルの開閉機構１０３の奥行き寸法が大きくなって、空気調和機の前後方向の薄型化に寄与できないという問題点を有していた（例えば、特許文献１参照）。
【先行技術文献】
【特許文献】
【０００４】
【特許文献１】特開２００６−２０７８８９号公報
【発明の概要】
【発明が解決しようとする課題】
【０００５】
本発明は、上記問題点に鑑み、前面パネルに備えた吸込口を開閉する開閉パネルの開閉機構の奥行き寸法を小型化し、本体の前後方向の薄型化に寄与できるようにした空気調和機を提供することを目的とする。
【課題を解決するための手段】
【０００６】
上述した目的を達成できるように構成するため、本発明は以下に示す特徴を備えている。
【０００７】
前面パネルの吸込口を開閉する開閉パネルを備え、同開閉パネルの開閉機構を備えた空気調和機であって、
前記開閉パネルの開閉機構は、一端に備えた駆動軸が前記前面パネルの上位部に枢支され、他端が前記開閉パネルを枢支して両端間に下部ばね掛けを備えた断面コ字状の開閉アームと、
前記駆動軸を駆動する駆動装置と、
前記開閉アームの両端を結ぶ仮想線延長上の一端上方に枢支された基端部と、同基端部から前記駆動軸の下方に上部ばね掛けを延出した先端部とからなるばね掛け具と、
前記下部ばね掛けと前記上部ばね掛けとの間に掛け渡され、前記開閉アーム内に収納される付勢ばねとを備えてなることを特徴としている。
【０００８】
また、前記開閉パネルの開閉機構は、一端が前記前面パネルの下位部に枢支され、他端が前記開閉パネルを枢支した補助アームを備えたことを特徴としている。
【０００９】
また、前記ばね掛け具が、前記基端部と前記駆動軸を迂回するように形成された先端部とからなり、前記上部ばね掛けが、前記開閉アーム内に収納されてなることを特徴としている。
【００１０】
また、前記開閉アームおよび前記補助アームは、前記開閉パネルが前記吸込口を閉じた際、同開閉パネルに対し平行に近接または当接するように枢支されてなることを特徴としている。
【発明の効果】
【００１１】
本発明によれば、前面パネルに備えた吸込口を開閉する開閉パネルの開閉機構の奥行き寸法を小型化し、本体の前後方向の薄型化に寄与できるようにした空気調和機を提供できる。
【図面の簡単な説明】
【００１２】
【図１】本発明による空気調和機の説明図で、（Ａ）は前面パネルの吸込口を開閉パネルで閉じた状態を示す断面図であり、（Ｂ）は開放した状態を示す断面図である。
【図２】本発明による空気調和機の前面パネルの斜視図である。
【図３】本発明による空気調和機の要部斜視図で、（Ａ）は前面パネルの吸込口を開閉パネルで閉じた時の開閉アームの位置とアームホルダとの関係を示し、（Ｂ）は開放した時の開閉アームの位置とアームホルダとの関係を示す。
【図４】本発明による空気調和機の要部分解斜視図で、（Ａ）は開閉アームを示し、（Ｂ）はアームホルダを示し、（Ｃ）はばね掛け具を示す。
【図５】従来例による空気調和機の要部断面図である。
【発明を実施するための形態】
【００１３】
以下、本発明の実施の形態を、添付図面に基づいた実施例として詳細に説明する。
【００１４】
本発明による空気調和機は、図１（Ａ）および図１（Ｂ）と、図２とに示すように、空気調和機本体１の吸込口２と吹出口３とを結ぶ空気通路に設けられた熱交換器４によって、吸込口２から吸い込まれた空気が冷媒と熱交換されたのち、送風ファン５によって吹出口３に送出され、吹出口３から被空調室に吹き出されるようになっている。
【００１５】
吸込口２は、空気調和機本体１の上面部および前面部に設けられており、前面部の吸込口２は、空気調和機本体１の前面部に装着された図２に示す前面パネル１ａに形成されている。なお、図２に示す前面パネル１ａは、図１（Ａ）および図１（Ｂ）において図示を省略することで、開閉パネル６の開閉機構７の構成を説明するための説明図として簡略化している。
【００１６】
前面パネル１ａに形成された吸込口２は、前面パネル１ａの前面に設けられた開閉パネル６により開閉されるように構成されており、運転停止時には、図１（Ａ）に示すように開閉パネル６によって閉じられることで、前面部の吸込口２を含む空気調和機本体１の前面部が開閉パネル６で覆われることになる。そのため、この開閉パネル６によって空気調和機本体１の前面部の意匠を凝らすことができる。
【００１７】
その際、吹出口３は、この吹出口３を開閉できるように枢支され、吹出口３から被空気調和室に吹き出される空気を上下方向に偏向する上下風向板３１および３２によって閉じられる。
【００１８】
また、前面パネル１ａに形成された吸込口２は、運転時には、図１（Ｂ）に示すように、開閉パネル６が開閉機構７によって図２に示す前面パネル１ａの前方および上方に移動することで開放されるように構成されている。
【００１９】
開閉パネル６は、前面パネル１ａに形成された吸込口２を開放する際、駆動装置９によって駆動される開閉アーム１０の先端部１０ｂが前方および上方に移動することで吸込口２の上位部を開放するとともに、開閉アーム１０の先端部１０ｂに従動して、補助アーム１１の先端部１１ｂが前方および上方に移動することで吸込口２の下位部を同時に開放することになる。
【００２０】
開閉アーム１０を駆動する駆動装置９は、図１（Ａ）および図１（Ｂ）に示すように、駆動モータ９ａのモータ軸９ｂに固定された駆動歯車９ｃと、駆動歯車９ｃに歯合する従動歯車９ｄと、従動歯車９ｄの従動穴（図示せず）に固定され、且つ、開閉アーム１０の基端部１０ａに備えた駆動軸穴１０１に嵌入される駆動軸８とで構成されており、この駆動軸８、従動歯車９ｄの従動穴および開閉アーム１０の駆動軸穴１０１は断面Ｄ字状に形成されている。
【００２１】
これにより、駆動モータ９ａが駆動されて、モータ軸９ｂの回転が駆動歯車９ｃおよび従動歯車９ｄによって駆動軸８に伝達され、開閉アーム１０が駆動されることにより、開閉アーム１０の先端部１０ｂが前方および上方に移動し、同時に、補助アーム１１の先端部１１ｂが前方および上方に移動することになる。
【００２２】
その際、開閉パネル６の下端部は、図１（Ａ）に示す位置から、上下風向板３１の前方に離れるように移動しつつ上方に移動することで、図１（Ｂ）に示す破線の矢印ａのように円弧状の軌跡を描くようになる。これによって、開閉パネル６の下端部は、上下風向板３１に接触しなくなるため互いの表面を傷つけてしまう虞がなくなり、また、上下風向板３１に接触しなくなることで異音が生じてしまう虞がなくなる。
【００２３】
ここで、駆動装置９によって開閉パネル６を前方に移動させつつ上方に移動させて、前面パネル１ａに形成された吸込口２を開閉する開閉パネル６の開閉機構７の構成について、図１乃至図４に基づいて説明する。
【００２４】
なお、開閉アーム１０は、その基端部１０ａが前面パネル１ａに直に枢支される構成であってもよいが、ここでは、前面パネル１ａに固定されるアームホルダ１４によって枢支されるとともに、このアームホルダ１４に対し出し入れ可能にした構成として説明する。また、後述するばね掛け具１２の支持片１２ａも前面パネル１ａに直に枢支される構成であってよいが、アームホルダ１４によって枢支されるとともに、このアームホルダ１４に対し先端部１２ｂを出し入れ可能にした構成として説明する。
【００２５】
開閉パネル６の開閉機構７は、空気調和機本体１の前面部に備えた前面パネル１ａの両側上位部に基端部１０ａが枢支され、先端部１０ｂに開閉パネル６を枢支した開閉アーム１０と、前面パネル１ａの両側下位部に基端部１１ａが枢支され、先端部１１ｂに開閉パネル６を枢支した補助アーム１１と、開閉アーム１０の基端部１０ａに備えた駆動軸穴１０１に嵌入されてこの開閉アーム１０を駆動する駆動軸８と、駆動軸８を駆動する駆動装置９とを備えている。
【００２６】
開閉アーム１０は、図４（Ａ）に示すように断面コ字状に形成され、基端部１０ａには駆動軸８に対応する駆動軸穴１０１を備え、この駆動軸穴１０１に嵌入した駆動軸８が、図４（Ｂ）に示すように断面コ字状に形成されたアームホルダ１４に備えた軸受穴１４ｂに回動自在に軸支され、図３（Ａ）および図３（Ｂ）に示すようにアームホルダ１４の収納部１４ａより出没可能となっている。
【００２７】
また、アームホルダ１４は、図４（Ｂ）に示すように軸受穴１４ｂの上方に支軸穴１４ｃを備えており、この支軸穴１４ｃに、図４（Ｃ）に示すばね掛け具１２の基端部に備えた支持片１２ａが挿入されることで、この支持片１２ａは、図３（Ａ）および図３（Ｂ）に示すように回動自在に軸支される。
【００２８】
ばね掛け具１２は、開閉アーム１０の基端部１０ａと先端部１０ｂとを結ぶ仮想線延長上の一端上方に枢支される支持片１２ａを備えた基端部と、この支持片１２ａを備えた基端部から駆動軸８を迂回するように湾曲形成され、迂回した駆動軸８の下方に上部ばね掛け１２ｃを延出した先端部１２ｂとで構成されている。
【００２９】
これにより、ばね掛け具１２は、その基端部に備えた支持片１２ａが、アームホルダ１４に形成された断面コ字状の収納部１４ａの上位部に収納されて、この収納部１４ａの上位部に備えた支軸穴１４ｃで回動自在に軸支された構成となり、上部ばね掛け１２ｃを備えた先端部１２ｂが、アームホルダ１４の軸受穴１４ｂに挿入された駆動軸８を迂回して、開閉アーム１０に形成された断面コ字状の収納部１０ｄに収納される。
【００３０】
なお、アームホルダ１４は、図２乃至図４に示すように、前面パネル１ａに備えた係止部１ｂに係止される係止爪１４ｄと、前面パネル１ａに備えた図示しないねじ穴にねじ締めして固定される固定部１４ｅとを備えており、係止爪１４ｄが係止部１ｂに係止されたのち、固定部１４ｅに備えた挿通孔１４ｆを通したねじをねじ穴（何れも図示せず）に螺着することによって、前面パネル１ａにねじ締め固定される。
【００３１】
ばね掛け具１２に備えた上部ばね掛け１２ｃと、開閉アーム１０に備えた下部ばね掛け１０ｃとの間には、図１乃至図３に示すように、引っ張りコイルばねからなる付勢ばね１３が架け渡されて開閉アーム１０の断面コ字部１０ｄに収納された構成になっている。
【００３２】
そして、開閉パネル６が前面パネル１ａの吸込口２を閉じた状態において、ばね掛け具１２の支持片１２ａと、開閉アーム１０の基端部１０ａに備えた駆動軸穴１０１に通した駆動軸８と、上部ばね掛け１２ｃおよび下部ばね掛け１０ｃとが、支持片１２ａと下部ばね掛け１０ｃとを結ぶ仮想線上に配置された構成になっている。
【００３３】
そのため、図５に基づいて説明したように、開閉アーム１０４および補助アーム１０５と、付勢ばね１０６とが互いに平行に設けられるとともに、開閉パネル１０２に対し傾斜した構成になっている場合に較べて、図１乃至図３に示すように、付勢ばね１３が開閉アーム１０の断面コ字部１０ｄに収納されたことにより、開閉パネル６の開閉機構７としての奥行き寸法を小型化できる構成になる。
【００３４】
上部ばね掛け１２ｃと、下部ばね掛け１０ｃとの間に付勢ばね１３が架け渡されたことで、開閉アーム１０が、その基端部１０ａの駆動軸穴１０１に嵌入した駆動軸８を駆動装置９で回転することによって、図１（Ａ）に示す垂直位置から図１（Ｂ）に示す水平位置に向けて回動することになり、回動する開閉アーム１０は付勢ばね１３によって付勢される構成になる。
【００３５】
以上説明したように、本発明の構成によれば、開閉パネル６の開閉機構７が、開閉アーム１０および補助アーム１１と、ばね掛け具１２と、下部ばね掛け１０ｃおよび上部ばね掛け１２ｃの間に掛け渡され、開閉アーム１０の断面コ字部１０ｄに収納された付勢ばね１３とを備えたことにより、前面パネル１ａの吸込口２を開閉する開閉パネル６の開閉機構７の奥行き寸法を小型化して、本体１の前後方向の薄型化に寄与できるようにした空気調和機を提供できる。
【００３６】
また、駆動装置９により開閉アーム１０を回動させることで開閉パネル６が開動作する際、この開閉パネル６の開動作が付勢ばね１３によって付勢されることから、駆動モータ９ａの小型化を図れることになる。
【符号の説明】
【００３７】
１  空気調和機本体
１ａ  前面パネル
１ｂ  係止部
２  吸込口
３  吹出口
３１，３２  上下風向板
４  熱交換器
５  送風ファン
６  前面パネル
７  パネル開閉機構
８  駆動軸
９  駆動装置
９ａ  駆動モータ
９ｂ  モータ軸
９ｃ  駆動歯車
９ｄ  従動歯車
１０  開閉アーム
１０１  駆動軸穴
１０ａ  基端部
１０ｂ  先端部
１０ｃ  下部ばね掛け
１０ｄ  断面コ字部
１１  補助アーム
１１ａ  基端部
１１ｂ  先端部
１２  ばね掛け具
１２ａ  支持片
１２ｂ  先端部
１２ｃ  上部ばね掛け
１３  付勢ばね
１４  アームホルダ
１４ａ  収納部
１４ｂ  軸受穴
１４ｃ  支軸穴
１４ｄ  係止爪
１４ｅ  固定部
１４ｆ  挿通孔
【図１】
0005549608.tif 000002
【図２】
0005549608.tif 000003
【図３】
0005549608.tif 000004
【図４】
0005549608.tif 000005
【図５】
0005549608.tif 000006